(57)【要約】【課題】  中間転写ベルトをベルトクリーナにて清掃するときに、ベルトクリーナの内部に付着しているトナーが、外部へ吹き出ること、および、中間転写ベルトに付着しているトナーが、飛散することを防止して、内部の汚れを防止する画像形成装置を提供すること。【解決手段】  ベルトクリーナ１０は、中間転写ベルト７側に開口する開口部２１ａを有するハウジング２１と、上記ハウジング２１の上記開口部２１ａに取り付けられる当接部材２２とを有する。上記ハウジング２１は、上記当接部材２２よりも上記中間転写ベルト７の回転方向の上流側に、エア抜き用孔部２１ｂを有するので、上記当接部材２２を上記中間転写ベルト７に圧接して、上記中間転写ベルト７を清掃するときに、上記ハウジング２１の内部で増加する空気圧を、矢印に示すように、上記エア抜き用孔部２１ｂを通して、逃がすことができる。【選択図】  図２
2006098905.tif 000002
【特許請求の範囲】
【請求項１】
外周面に現像剤を保持する回転自在な像担持体と、
上記像担持体に接近または離隔すると共に、上記像担持体の上記外周面に接触して、上記像担持体が一方向に回転した状態で、上記像担持体の上記外周面を清掃する清掃手段と
を備え、
上記清掃手段は、
上記像担持体側に開口する開口部を有するハウジングと、
上記ハウジングの上記開口部に取り付けられると共に、上記像担持体の上記外周面に接触して上記像担持体の上記外周面に付着する上記現像剤を掻き取る当接部材と
を有し、
上記ハウジングは、
清掃領域にある上記像担持体と対向する部位に、上記開口部とは別にエア抜き用孔部を有することを特徴とする画像形成装置。
【請求項２】
請求項１に記載の画像形成装置において、
上記清掃領域は、上記当接部材よりも上記像担持体の上記一方向の上流側にあり、
上記エア抜き用孔部は、上記当接部材よりも上記像担持体の上記一方向の上流側にあることを特徴とする画像形成装置。
【請求項３】
請求項１に記載の画像形成装置において、
上記エア抜き用孔部は、上記当接部材の先端の近傍に、位置していることを特徴とする画像形成装置。
【請求項４】
請求項１に記載の画像形成装置において、
上記ハウジングの上記開口部と反対側で上記エア抜き用孔部に連通すると共にエアを溜めるバッファ部を備えることを特徴とする画像形成装置。
【請求項５】
請求項１に記載の画像形成装置において、
上記当接部材は、可撓性を有するブレードであることを特徴とする画像形成装置。
【発明の詳細な説明】
【技術分野】
【０００１】
この発明は、例えば、プリンタ、複写機またはファクシミリ等の画像形成装置に関し、詳しくは、像担持体を清掃する清掃手段を備えた画像形成装置に関する。
【背景技術】
【０００２】
従来の画像形成装置は、図５に示すように、外周面に現像剤を保持する回転自在な像担持体１０１と、上記像担持体１０１に接近または離隔する清掃手段１０２とを備えている（特開２００４−１９８５５１号公報：特許文献１参照）。
【０００３】
上記清掃手段１０２は、上記像担持体１０１の上記外周面に接触して、上記像担持体１０１が一方向（矢印方向）に回転した状態で、上記像担持体１０１の上記外周面を清掃する。
【０００４】
具体的に述べると、上記清掃手段１０２は、上記像担持体１０１側に開口する開口部１０３ａを有するハウジング１０３と、このハウジング１０３の開口部１０３ａに取り付けられると共に、上記像担持体１０１の上記外周面に接触して上記像担持体１０１の上記外周面に付着する上記現像剤を掻き取る当接部材１０４とを有する。
【０００５】
しかしながら、上記従来の画像形成装置では、上記ハウジング１０３は、回収した上記現像剤を蓄えるために、上記開口部１０３ａを除いて密閉状態である。
【０００６】
このため、上記ハウジング１０３を回動させて、可撓性の上記当接部材１０４を上記像担持体１０１へ押圧して、上記清掃手段１０２にて上記像担持体１０１を清掃する際に、この押圧力によって、上記当接部材１０４は、上記ハウジング１０３の内部へ撓んで、上記ハウジング１０３の内部の密閉された空間の容積が減少する。
【０００７】
上記ハウジング１０３の内部の容積の減少によって、上記ハウジング１０３の内部の空気が、上記開口部１０３ａから吐き出され、上記ハウジング１０３の内部や上記当接部材１０４の先端に付着している上記現像剤が、噴煙として、上記ハウジング１０３の上記開口部１０３ａから外部へ吹き出される問題があった。また、上記ハウジング１０３の内部から外部への空気の流れにより、上記像担持体１０１に付着している上記現像剤が、飛散する問題があった。このように、上記画像形成装置の内部が汚れる問題があった。
【特許文献１】特開２００４−１９８５５１号公報（図１、図４）
【発明の開示】
【発明が解決しようとする課題】
【０００８】
そこで、この発明の課題は、像担持体を清掃手段にて清掃するときに、清掃手段の内部に付着している現像剤が、外部へ吹き出ること、および、像担持体に付着している現像剤が、飛散することを防止して、内部の汚れを防止する画像形成装置を提供することにある。
【課題を解決するための手段】
【０００９】
上記課題を解決するため、この発明の画像形成装置は、
外周面に現像剤を保持する回転自在な像担持体と、
上記像担持体に接近または離隔すると共に、上記像担持体の上記外周面に接触して、上記像担持体が一方向に回転した状態で、上記像担持体の上記外周面を清掃する清掃手段と
を備え、
上記清掃手段は、
上記像担持体側に開口する開口部を有するハウジングと、
上記ハウジングの上記開口部に取り付けられると共に、上記像担持体の上記外周面に接触して上記像担持体の上記外周面に付着する上記現像剤を掻き取る当接部材と
を有し、
上記ハウジングは、
清掃領域にある上記像担持体と対向する部位に、上記開口部とは別にエア抜き用孔部を有することを特徴としている。
【００１０】
この発明の画像形成装置によれば、上記清掃手段の上記ハウジングは、清掃領域にある上記像担持体と対向する部位に、上記開口部とは別にエア抜き用孔部を有するので、上記当接部材を上記像担持体に接触させて（例えば、圧接させて）上記像担持体を清掃するときに、上記当接部材の変形によって上記ハウジングの内部の容積が減少することで、上記ハウジングの内部で増加する空気圧を、上記エア抜き用孔部を通して、逃がすことができる。
【００１１】
このように、上記清掃手段にて上記像担持体を清掃するときに、上記ハウジングの内部で増加する空気圧を逃がして、上記ハウジングの内部から外部への空気の流れを抑制できる。このため、上記ハウジングの内部や上記当接部材の先端に付着している上記現像剤が、上記ハウジングの上記開口部から外部へ漏れ出すことを防止でき、さらに、上記像担持体に付着している上記現像剤の飛散を防止できる。
【００１２】
したがって、この画像形成装置の内部の汚れを防止できると共に、この画像形成装置によって形成される画像（例えば、シートに形成されたトナー像）の汚れを防止できる。
【００１３】
また、一実施形態の画像形成装置では、上記清掃領域は、上記当接部材よりも上記像担持体の上記一方向の上流側にあり、上記エア抜き用孔部は、上記当接部材よりも上記像担持体の上記一方向の上流側にある。
【００１４】
この一実施形態の画像形成装置によれば、上記清掃領域は、上記当接部材よりも上記像担持体の上記一方向の上流側にあり、上記エア抜き用孔部は、上記当接部材よりも上記像担持体の上記一方向の上流側にあるので、上記像担持体の上記一方向の回転に対抗して、上記当接部材を上記像担持体の上記外周面に接触させることができて、上記像担持体の上記外周面に付着する上記現像剤を確実に掻き取ることができる。
【００１５】
また、一実施形態の画像形成装置では、上記エア抜き用孔部は、上記当接部材の先端の近傍に、位置している。
【００１６】
この一実施形態の画像形成装置によれば、上記エア抜き用孔部は、上記当接部材の先端の近傍に、位置しているので、（急激な空気圧の変化を発生させる）上記当接部材の先端の近傍で、空気を抜くことができ、上記ハウジングの内部の奥側で空気を抜く場合に比べて、上記ハウジングの内部に付着している上記現像剤を舞い上がらせることを回避できる。また、上記当接部材の先端に付着している上記現像剤は、近傍にある上記エア抜き用孔部に吸い込まれるため、上記ハウジングの上記開口部から外へ飛び出すことがない。
【００１７】
また、一実施形態の画像形成装置では、上記ハウジングの上記開口部と反対側で上記エア抜き用孔部に連通すると共にエアを溜めるバッファ部を備える。
【００１８】
この一実施形態の画像形成装置によれば、上記ハウジングの上記開口部と反対側で上記エア抜き用孔部に連通すると共にエアを溜めるバッファ部を備えるので、上記当接部材を上記像担持体に接触したときに上記ハウジングの内部で増加する空気圧を、上記エア抜き用孔部を通して、上記バッファ部に逃がすことができると共に、飛散した上記現像剤を、上記バッファ部へ溜めることができて、上記ハウジングの外部へ漏れ出すことを、確実に防止できる。
【００１９】
また、一実施形態の画像形成装置では、上記当接部材は、可撓性を有するブレードである。
【００２０】
この一実施形態の画像形成装置によれば、上記当接部材は、可撓性を有するブレードであるので、上記当接部材を上記像担持体の上記外周面に密着させることができて、上記像担持体の上記外周面に付着する上記現像剤を確実に掻き取ることができる。
【発明の効果】
【００２１】
この発明の画像形成装置によれば、上記清掃手段の上記ハウジングは、清掃領域にある上記像担持体と対向する部位に、上記開口部とは別にエア抜き用孔部を有するので、上記当接部材を上記像担持体に接触して、上記像担持体を清掃するときに、上記ハウジングの内部で増加する空気圧を、上記エア抜き用孔部を通して、逃がし、上記ハウジングの内部から外部への空気の流れを抑制できる。このように、上記ハウジングの内部や上記当接部材の先端に付着している上記現像剤が、上記ハウジングの上記開口部から外部へ漏れ出すことを防止できると共に、上記像担持体に付着している上記現像剤の飛散を防止し、この画像形成装置の内部の汚れを防止できる。
【発明を実施するための最良の形態】
【００２２】
以下、この発明を図示の実施の形態により詳細に説明する。
【００２３】
図１は、この発明の画像形成装置の一実施形態である簡略構成図を示している。この画像形成装置は、イエロ（Ｙ）、シアン（Ｃ）、マゼンタ（Ｍ）、ブラック（Ｋ）の４色のトナー（すなわち、現像剤の一例である）を組み合わせてフルカラー画像を形成し、または、ブラック（Ｋ）のトナーのみを用いてモノクロ画像を形成する装置である。
【００２４】
この画像形成装置では、図示しないが、画像信号が、ホストコンピュータ等の外部装置から、制御ユニットのメインコントローラに与えられると、このメインコントローラからの指令に応じて、エンジンコントローラが、エンジン部の各部を制御して、上記画像信号に対応する画像をシートに形成する。
【００２５】
このエンジン部では、感光体１にトナー像を形成可能にしている。上記感光体１は、少なくとも一方向（矢印方向）に回転可能に配置されている。この感光体１の周りには、上記一方向に沿って、帯電手段としての帯電チャージャー２、現像部３（現像器３Ｙ、３Ｍ、３Ｃ、３Ｋ）およびクリーニング部４が配置されている。
【００２６】
上記帯電チャージャー２は、図示しない帯電バイアス発生部から高電圧が印加されており、上記感光体１の外周面を均一に帯電させる。
【００２７】
この帯電チャージャー２によって帯電された上記感光体１の外周面に向けて、露光ユニット５からレーザ光５ａが照射される。
【００２８】
この露光ユニット５は、図示しない画像信号切換部と電気的に接続されており、この画像信号切換部を介して与えられる画像信号に応じて、上記レーザ光５ａを上記感光体１上に走査露光して、上記感光体１上に上記画像信号に対応する静電潜像を形成する。
【００２９】
例えば、図示しないが、上記エンジンコントローラのＣＰＵからの指令に基づき、上記画像信号切換部が、パッチ作成モジュールと導通している際には、パッチ作成モジュールから出力されるパッチ画像信号が、上記露光ユニット５に与えられて、パッチ画像が形成される。一方、上記画像信号切換部が、上記メインコントローラのＣＰＵと導通している際には、上記ホストコンピュータなどの外部装置より、インターフェースを介して与えられた画像信号に応じて、上記レーザ光５ａを上記感光体１上に走査露光して、上記感光体１上に画像信号に対応する静電潜像が形成される。
【００３０】
このように形成された静電潜像は、上記現像部３によって、トナー現像される。この現像部３は、少なくとも一方向（矢印方向）に回転するロータリー形状のラックと、このラックに収納されると共にこのラックの上記一方向に沿って順番に配置されている、イエロ用の現像器３Ｙ、ブラック用の現像器３Ｋ、シアン用の現像器３Ｃおよびマゼンタ用の現像器３Ｍを備えている。
【００３１】
そして、上記エンジンコントローラからの指令に応じて、上記４つの現像器３Ｙ，３Ｋ，３Ｃ，３Ｍのうちの１つの現像器が選ばれ、上記ラックが回転することで、上記選ばれた現像器が、上記感光体１に対向する位置へ移動し、上記感光体１へ接近することで、上記感光体１と上記選ばれた現像器とが、適正な間隔で、配置される。
【００３２】
そして、図示しない現像バイアス発生部によって、高電圧が印加されて、選択された色のトナーを、上記感光体１の外周面に付与して、上記感光体１上の静電潜像を顕在化する。
【００３３】
上記現像部３で現像されたトナー像は、１次転写領域Ｚ１で、転写ユニット６の中間転写ベルト７上に１次転写される。すなわち、上記１次転写領域Ｚ１とは、上記感光体１と上記中間転写ベルト７とが接触する領域である。
【００３４】
その後、上記１次転写領域Ｚ１の下流側に配置された上記クリーニング部４によって、１次転写後の上記感光体１の外周面に残留付着しているトナーを掻き落とす。
【００３５】
上記転写ユニット６は、複数（５つ）のローラ８と、この複数のローラ８に掛け渡された上記中間転写ベルト７とを備える。この中間転写ベルト７は、上記感光体１の回転に追従して、少なくとも一方向（矢印方向）に回転する。
【００３６】
そして、カラー画像をシートＳに転写する場合には、上記感光体１上に形成される各色のトナー像を、上記中間転写ベルト７上に重ね合わせて、カラー画像を形成すると共に、給排紙ユニット９の給紙部９ａによって、カセット、手差しトレイまたは増設カセットから、上記シートＳを取り出して、２次転写領域Ｚ２に搬送する。そして、上記２次転写領域Ｚ２において、上記シートＳに、カラー像を２次転写して、フルカラー画像を得る。すなわち、上記２次転写領域Ｚ２とは、上記シートＳと上記中間転写ベルト７とが接触する領域である。
【００３７】
一方、モノクロ画像を上記シートＳに転写する場合には、上記感光体１上にブラックトナー像のみを、上記中間転写ベルト７上に形成して、カラー画像の場合と同様にして、上記２次転写領域Ｚ２へ搬送されてきた上記シートＳに転写して、モノクロ画像を得る。
【００３８】
なお、２次転写後、（像担持体の一例としての）上記中間転写ベルト７の外周面に残留付着している（現像剤の一例としての）トナーは、（清掃手段の一例としての）ベルトクリーナ１０によって除去される。
【００３９】
上記ベルトクリーナ１０は、上記感光体１よりも上記中間転写ベルト７の上記一方向の上流側で、上記中間転写ベルト７に対向して配置されている。上記ベルトクリーナ１０は、上記中間転写ベルト７に接近または離隔する。
【００４０】
上記ベルトクリーナ１０は、適当なタイミングで、上記中間転写ベルト７の外周面に接触して、上記中間転写ベルト７が上記一方向に回転した状態で、上記中間転写ベルト７の上記外周面のトナーを清掃する。
【００４１】
上記ベルトクリーナ１０よりも上記中間転写ベルト７の上記一方向の上流側には、上記中間転写ベルト７の外周面に形成されるパッチ画像の濃度を検出するための光学センサ１１が配置される。
【００４２】
上記転写ユニット６によってトナー像が転写された上記シートＳは、上記給排紙ユニット９のローラ等によって、（矢印に示すように）所定の給紙経路に沿って、定着ユニット１２に搬送される。そして、上記定着ユニット１２によって、上記シートＳに上記トナー像を定着する。その後、上記シートＳは、さらに（矢印に示すように）給紙経路に沿って、上記給排紙ユニット９の排紙部９ｂへ搬送される。
【００４３】
図２に示すように、上記ベルトクリーナ１０は、上記中間転写ベルト７側に開口する開口部２１ａを有するハウジング２１と、上記ハウジング２１の上記開口部２１ａに取り付けられる当接部材２２とを有する。
【００４４】
上記当接部材２２は、可撓性を有するブレードであり、上記中間転写ベルト７の幅寸法よりも長い幅寸法を有する。そして、上記当接部材２２は、上記中間転写ベルト７の上記外周面に密着して、上記中間転写ベルト７の上記外周面に付着する上記トナーを掻き取る。
【００４５】
上記ハウジング２１は、上記当接部材２２によって掻き落とされた上記トナーを収容する。上記ハウジング２１は、上記当接部材２２よりも上記中間転写ベルト７の上記一方向の上流側に、上記開口部２１ａとは別にエア抜き用孔部２１ｂを有する。このエア抜き用孔部２１ｂは、上記当接部材２２の先端の近傍に、位置している
【００４６】
言い換えると、上記ハウジング２１の上記開口部２１ａの内の、上記当接部材２２よりも上記中間転写ベルト７の上記一方向の上流側の清掃領域Ｃにある、上記中間転写ベルト７に対向するように、上記エア抜き用孔部２１ｂを設けている。すなわち、上記エア抜き用孔部２１ｂは、上記中間転写ベルト７の上記外周面の近傍に、位置している。
【００４７】
ここで、上記清掃領域Ｃとは、上記中間転写ベルト７と上記ベルトクリーナ１０とが接触して、上記中間転写ベルト７の上記外周面を清掃する領域をいう。具体的に述べると、上記ハウジング２１の上記開口部２１ａの内の、上記当接部材２２によって上記中間転写ベルト７の上記外周面から掻き取られた上記トナーが溜まる側の部分と、上記中間転写ベルト７の上記外周面とが、重なる領域をいう。
【００４８】
上記ハウジング２１には、支点Ａに対して回動可能に、支持体２４が設けられている。この支持体２４は、図示しないバネで、上記中間転写ベルト７方向へ付勢されている。この支持体２４には、上記当接部材２２の基端側が取り付けられており、上記支持体２４の先端側は、自由に撓むことができる。
【００４９】
上記ハウジング２１は、支点Ｂに対して回動可能であり、図示しないバネで、上記中間転写ベルト７方向へ付勢されている。上記ベルトクリーナ１０が上記中間転写ベルト７から離隔するときは、図示しないカムによって、上記図示しないバネの付勢力に抗して、上記ハウジング２１は、上記中間転写ベルト７から離隔する方向へ回動される。
【００５０】
上記構成の画像形成装置によれば、上記ハウジング２１は、上記当接部材２２よりも上記中間転写ベルト７の上記一方向の上流側に、上記開口部２１ａとは別に上記エア抜き用孔部２１ｂを有するので、上記ベルトクリーナ１０を上記中間転写ベルト７に圧接して、上記中間転写ベルト７を清掃するときに、上記当接部材２２の弾性変形によって上記ハウジング２１の内部の容積が減少することで、上記ハウジング２１の内部で増加する空気圧を、矢印に示すように、上記エア抜き用孔部２１ｂを通して、逃がすことができる。
【００５１】
このように、上記ベルトクリーナ１０にて上記中間転写ベルト７を清掃するときに、上記ハウジング２１の内部で急増する空気圧を逃がして、上記ハウジング２１の内部から外部への空気の流れを抑制できる。このため、上記ハウジング２１の内部や上記当接部材２２の先端に付着している上記トナーが、上記ハウジング２１の上記開口部２１ａから外部へ漏れ出すことを防止でき、さらに、上記中間転写ベルト７に付着している上記トナーの飛散を防止できる。
【００５２】
したがって、この画像形成装置の内部の汚れを防止できると共に、この画像形成装置によって形成される画像（例えば、上記シートＳに形成されたトナー像）の汚れを防止できる。
【００５３】
また、上記清掃領域Ｃは、上記当接部材２２よりも上記中間転写ベルト７の上記一方向の上流側にあり、上記エア抜き用孔部２１ｂは、上記当接部材２２よりも上記中間転写ベルト７の上記一方向の上流側にあるので、上記中間転写ベルト７の上記一方向の回転に対抗して、上記当接部材２２を上記中間転写ベルト７の上記外周面に接触させることができて、上記中間転写ベルト７の上記外周面に付着する上記トナーを確実に掻き取ることができる。
【００５４】
また、上記エア抜き用孔部２１ｂは、上記当接部材２２の先端の近傍に、位置しているので、（急激な空気圧の変化を発生させる）上記当接部材２２の先端の近傍で、空気を抜くことができ、上記ハウジング２１の内部の奥側で空気を抜く場合に比べて、上記ハウジング２１の内部に付着している上記トナーを舞い上がらせることを回避できる。また、上記当接部材２２の先端に付着している上記トナーは、近傍にある上記エア抜き用孔部２１ｂに吸い込まれるため、上記ハウジング２１の上記開口部２１ａから外へ飛び出すことがない。
【００５５】
また、上記ハウジング２１の上記開口部２１ａと反対側で上記エア抜き用孔部２１ｂに連通すると共にエアを溜めるバッファ部２３を備えている。このように、上記当接部材２２を上記中間転写ベルト７に接触したときに上記ハウジング２１の内部で増加する空気圧を、上記エア抜き用孔部２１ｂを通して、上記バッファ部２３に逃がすことができると共に、上記ハウジング２１の内部等で飛散した上記トナーを、上記バッファ部２３へ溜めることができて、上記ハウジング２１の外部へ漏れ出すことを、確実に防止できる。なお、図２中の仮想線に示すように、上記バッファ部２３に連通するフィルター２５を設けてもよい。
【００５６】
なお、上記ベルトクリーナ１０よりも上記中間転写ベルト７の上記一方向の上流側に、エア遮断部材１３を設けてもよい。このエア遮断部材１３は、例えば、フィルム状であり、上記中間転写ベルト７に接触しないように対向している。このエア遮断部材１３により、上記ベルトクリーナ１０の周辺部へのエアの流れ込みを遮断して、上記ベルトクリーナ１０内部からの上記トナーの飛散を防止できる。
【００５７】
図３Ａと図３Ｂに示すように、上記ハウジング２１の幅寸法は、上記当接部材２２の幅寸法よりも大きい。上記エア抜き用孔部２１ｂは、丸孔であり、上記ハウジング２１の幅方向（長手方向）に沿って複数設けられている。
【００５８】
なお、図４Ａと図４Ｂに示すように、上記エア抜き用孔部２１ｂを長孔とし、上記ハウジング２１の幅方向（長手方向）の中央寄りに２つ設けるようにしてもよい。
【００５９】
このように、上記エア抜き用孔部の位置（例えば、上記ハウジング２１の幅方向の片側、中央または全面、および、上記ハウジング２１の内部の奥側または手前側）、形状（例えば、真円、長円、四角または楕円）、個数（１つまたは複数）、大きさなどは、適時変更しても構わない。
【００６０】
なお、この発明は上述の実施形態に限定されない。例えば、上記像担持体としては、中間転写体であって、ドラム、ローラまたは感光体であってもよい。また、この発明の画像形成装置としては、モノクロとカラー兼用またはモノクロ専用の、複写機、プリンタ、ＦＡＸまたは複合機等に適用できる。また、上記清掃領域Ｃは、上記当接部材２２よりも上記中間転写ベルト７の上記一方向の下流側にあってもよく、この場合、上記エア抜き用孔部２１ｂは、上記当接部材２２よりも上記中間転写ベルト７の上記一方向の下流側にある。
【図面の簡単な説明】
【００６１】
【図１】この発明の画像形成装置の一実施形態を示す簡略構成図である。
【図２】この発明の画像形成装置の要部拡大断面図である。
【図３Ａ】ベルトクリーナの正面図である。
【図３Ｂ】ベルトクリーナの側面断面図である。
【図４Ａ】ベルトクリーナの他の実施形態を示す正面図である。
【図４Ｂ】ベルトクリーナの他の実施形態を示す側面断面図である。
【図５】従来の画像形成装置を示す要部拡大断面図である。
【符号の説明】
【００６２】
７    中間転写ベルト（像担持体）
１０    ベルトクリーナ（清掃手段）
２１    ハウジング
２１ａ    開口部
２１ｂ    エア抜き用孔部
２２    当接部材
２３    バッファ部
Ｃ    清掃領域
【図１】
2006098905.tif 000003
【図２】
2006098905.tif 000004
【図３Ａ】
2006098905.tif 000005
【図３Ｂ】
2006098905.tif 000006
【図４Ａ】
2006098905.tif 000007
【図４Ｂ】
2006098905.tif 000008
【図５】
2006098905.tif 000009